【手続補正書】
【提出日】平成17年5月13日(2005.5.13)
【手続補正１】
【補正対象書類名】明細書
【補正対象項目名】特許請求の範囲
【補正方法】変更
【補正の内容】
【特許請求の範囲】
【請求項１】
各々の間隔を変化させて焦点距離を変更させる複数のレンズ群と、光路中に配されかつ少なくとも軸上光束径を制限する開口絞りとを有するズームレンズ、及び、その像側に配された電子撮像素子を備えた撮像装置において、
前記開口絞りは絞り形状が固定であり、
前記開口絞りが配される空間とは異なる位置の空間の光軸上に、透過率の変更によって光量調整を行うフィルターが配されていることを特徴とする撮像装置。
【請求項２】
望遠端における開放Ｆ値Ｆが、前記電子撮像素子の最小画素ピッチａ（単位ｍｍ）に対して、１．５×１０3 ×ａ／１ｍｍ＜Ｆのとき、
撮像面の垂直方向又は水平方向の前記開口絞りの長さが、撮像面の対角方向の前記開口絞りの長さに対して長いか、若しくは、
望遠端における開放Ｆ値Ｆが、前記電子撮像素子の最小画素ピッチａ（単位ｍｍ）に対して、１．５×１０3 ×ａ／１ｍｍ＞Ｆのとき、
撮像面の垂直方向又は水平方向の前記開口絞りの長さが、撮像面の対角方向の前記開口絞りの長さに対して短い、
ことを特徴とする請求項１記載の撮像装置。
【請求項３】
前記ズームレンズにおける可変の空気間隔の中で最小の空気間隔、又は、一定の空気間隔の中で最も長い空気間隔中に前記フィルターを配したこと特徴とする請求項１記載の撮像装置。
【請求項４】
前記光量調整を行うフィルターは、中心部の透過率に対して周辺部の透過率を高くした透過面を少なくとも１つ有することを特徴とする請求項１記載の撮像装置。
【請求項５】
前記光量調整を行うフィルターを光軸に対して傾ける配置が可能なことを特徴とする請求項１記載の撮像装置。
【請求項６】
前記開口絞りは、変倍時若しくは合焦点動作の際に可変の空気間隔を挟む前後のレンズ群の間に配され、前記光量調整を行うフィルターは、前記空気間隔とは異なる位置に配されることを特徴とする請求項１に記載の撮像装置。
【請求項７】
前記開口絞りは、その開口絞りから光軸に下ろした垂線と光軸との交わる位置が、レンズ群中のレンズ媒質内に位置することを特徴とする請求項１から６の何れか１項記載の撮像装置。
【請求項８】
前記開口絞りは、前記レンズ群中の何れかのレンズ面に接して設けられることを特徴とする請求項７記載の撮像装置。
【請求項９】
前記開口絞りを、光軸側に開口を設けた口径板としたことを特徴とする請求項１から８の何れか１項記載の撮像装置。
【請求項１０】
前記ズームレンズは、少なくとも負の屈折力のレンズ群と、その像側直後に配された正の屈折力のレンズ群を有し、広角端よりも望遠端において前記負の屈折力のレンズ群と前記正の屈折力のレンズ群との間隔が減少し、
前記開口絞りを前記負の屈折力のレンズ群の最も像側面から前記正の屈折力のレンズ群の像側面の間に配し、
前記光量調整を行うフィルターを前記開口絞りよりも像面側に配したことを特徴とする請求項１から９の何れか１項記載の撮像装置。
【請求項１１】
前記負の屈折力のレンズ群を最も物体側に配置したことを特徴とする請求項１０記載の撮像装置。
【請求項１２】
前記ズームレンズは、物体側から順に、前記負の屈折力を有するレンズ群と、前記正の屈折力を有するレンズ群を有し、変倍時に可動のレンズ群は、前記負の屈折力を有するレンズ群と前記正の屈折力を有するレンズ群の２つのレンズ群のみであることを特徴とする請求項１０記載の撮像装置。
【請求項１３】
前記ズームレンズは、物体側から順に、前記負の屈折力を有するレンズ群と、前記正の屈折力を有するレンズ群の２つのレンズ群のみであることを特徴とする請求項１０記載の撮像装置。
【請求項１４】
前記開口絞りは、前記正の屈折力のレンズ群直前の空気間隔中に配されことを特徴とする請求項１０から１３の何れか１項記載の撮像装置。
【請求項１５】
前記光量調整を行うフィルターは、前記正の屈折力のレンズ群の直後の空気間隔中に配することを特徴とする請求項１０から１４の何れか１項記載の撮像装置。
【請求項１６】
前記開口絞りとそれよりも像側の前記光量調整を行うフィルターの入射面との光軸上の距離をα、前記光量調整を行うフィルターの入射面と前記電子撮像素子における撮像面までの光軸上での距離をβとしたときに、常に以下の条件を満足することを特徴とする請求項１から１５の何れか１項記載の撮像装置。
０．０１＜α／β＜1 ．３                              ・・・（１）
【請求項１７】
前記開口絞りの開口の最大開口径をφα、前記光量調整を行うフィルターの最大有効径をφβとするときに、以下の条件を満足することを特徴とする請求項１から１６の何れか１項記載の撮像装置。
０．５＜φβ／φα＜１．５                            ・・・（２）
【請求項１８】
前記開口絞りは可変間隔に配され、前記開口絞りの直前のレンズ面及び直後のレンズ面は共に像側に凹面を向け、前記開口絞りの外形が、光軸から離れる程像側に傾いた漏斗形状であることを特徴とする請求項１から１７の何れか１項記載の撮像装置。
【請求項１９】
前記光量調整を行うフィルターは、光路中に挿脱可能に構成されていることを特徴とする請求項１から１８の何れか１項記載の撮像装置。
【請求項２０】
前記光量調整を行うフィルターは、光軸上から退避する際に、面が光軸と平行に近づく方向に揺動することを特徴とする請求項１９記載の撮像装置。
【請求項２１】
各々の間隔を変化させて焦点距離を変更させる複数のレンズ群と、光路中に配されかつ少なくとも軸上光束径を制限する開口絞りとを有するズームレンズ、及び、その像側に配された電子撮像素子を備えた撮像装置において、
前記開口絞りは絞り形状が固定であり、
前記開口絞りが配される空間とは異なる位置の空間の光軸上にシャッターが配されていることを特徴とする撮像装置。
【請求項２２】
前記開口絞りは、変倍時若しくは合焦点動作の際に可変の空気間隔を挟む前後のレンズ群の間に配され、前記シャッターは、前記空気間隔とは異なる位置に配されることを特徴とする請求項２１記載の撮像装置。
【請求項２３】
前記開口絞りは、その開口絞りから光軸に下ろした垂線と光軸との交わる位置が、レンズ群中のレンズ媒質内に位置することを特徴とする請求項２１又は２２記載の撮像装置。
【請求項２４】
前記開口絞りは、前記レンズ群中の何れかのレンズ面に接して設けられることを特徴とする請求項２３記載の撮像装置。
【請求項２５】
前記開口絞りを、光軸側に開口を設けた口径板としたことを特徴とする請求項２１から２４の何れか１項記載の撮像装置。
【請求項２６】
前記ズームレンズは、少なくとも負の屈折力のレンズ群と、その像側直後に配された正の屈折力のレンズ群を有し、広角端よりも望遠端において前記負の屈折力のレンズ群と前記正の屈折力のレンズ群との間隔が減少し、
前記開口絞りを前記負の屈折力のレンズ群の最も像側面から前記正の屈折力のレンズ群の像側面の間に配し、
前記シャッターを前記開口絞りよりも像面側に配したことを特徴とする請求項２１から２５の何れか１項記載の撮像装置。
【請求項２７】
前記負の屈折力のレンズ群を最も物体側に配置したことを特徴とする請求項２６記載の撮像装置。
【請求項２８】
前記ズームレンズは、物体側から順に、前記負の屈折力を有するレンズ群と、前記正の屈折力を有するレンズ群を有し、変倍時に可動のレンズ群は、前記負の屈折力を有するレンズ群と前記正の屈折力を有するレンズ群の２つのレンズ群のみであることを特徴とする請求項２６記載の撮像装置。
【請求項２９】
前記ズームレンズは、物体側から順に、前記負の屈折力を有するレンズ群と、前記正の屈折力を有するレンズ群の２つのレンズ群のみであることを特徴とする請求項２６記載の撮像装置。
【請求項３０】
前記開口絞りは、前記正の屈折力のレンズ群直前の空気間隔中に配されことを特徴とする請求項２６から２９の何れか１項記載の撮像装置。
【請求項３１】
前記シャッターは、前記正の屈折力のレンズ群の直後の空気間隔中に配することを特徴とする請求項２６から３０の何れか１項記載の撮像装置。
【請求項３２】
前記開口絞りとそれよりも像側の前記シャッターとの光軸上の距離をα’、前記シャッターと前記電子撮像素子における撮像面までの光軸上での距離をβ’としたときに、常に以下の条件を満足することを特徴とする請求項２１から３１の何れか１項記載の撮像装置。
０．０１＜α’／β’＜１．３                          ・・・（３）
【請求項３３】
前記開口絞りの開口の最大開口径をφα、前記シャッターの最大有効径をφβ’とするときに、以下の条件を満足することを特徴とする請求項２１から３２の何れか１項記載の撮像装置。
０．５＜φβ’／φα＜１．５                          ・・・（４）
【請求項３４】
前記開口絞りは可変間隔に配され、前記開口絞りの直前のレンズ面及び直後のレンズ面は共に像側に凹面を向け、前記開口絞りの外形が、光軸から離れる程像側に傾いた漏斗形状であることを特徴とする請求項２１から３３の何れか１項記載の撮像装置。